(57)【特許請求の範囲】
【請求項１】
表示画面のアスペクト比とは異なるアスペクト比の映像信号をレターボックス表示を実行するに際し、
入力映像信号を画面表示走査線数に調整するために水平表示位置開始発生回路の出力を所定期間毎に間引き、
さらにこの間引かれた信号を、水平走査回数が奇数かつ画面表示される画面表示走査線数を超えるものから次の走査期間となるまで全て間引く再処理を実行し、水平走査回数が奇数かつ画面表示される画面表示走査線数を超えないときは間引かずに出力する再処理を実行し、
この出力信号毎に映像の極性を反転する極性反転信号を生成するとともに、前記極性反転信号を前記入力映像信号から同期分離された水平同期信号と垂直同期信号とに基づいて垂直表示開始位置を決定する垂直表示開始位置発生回路の出力信号毎にも極性を反転させる
画面表示制御方法。
【請求項２】
飛び越し走査方式で映像を表示する画面表示制御装置において、
画面表示される画面表示走査線数よりも多い水平走査線数をもった映像信号から同期分離された水平同期信号と垂直同期信号を入力とし、前記垂直同期信号と前記水平同期信号から垂直表示開始位置を決定する垂直表示開始位置発生回路と、
前記水平同期信号を入力とし水平表示開始位置を決定する水平表示開始位置発生回路と、
前記垂直表示開始位置発生回路の出力信号から所定期間毎に前記水平表示開始位置発生回路の出力信号を間引く表示アスペクト比調整回路と、
前記垂直表示開始位置発生回路の出力信号をリセットとし前記表示アスペクト比調整回路の出力信号をカウントするカウンタ回路と、
前記カウンタ回路の出力カウント値が所定の値になると前記表示アスペクト比調整回路の出力信号を間引く表示ライン決定回路と、
前記表示ライン決定回路の出力信号毎に映像の極性を反転し前記垂直表示開始位置発生回路の出力信号毎にも映像の極性を反転する信号を出力する極性反転回路と
を設け、表示アスペクト比に合わせて映像信号の極性及び映像表示を制御する
画面表示制御装置。
【請求項３】
前記表示ライン決定回路を、
前記表示アスペクト比調整回路の出力信号と前記カウンタ回路の出力カウンタ値を入力とし、前記カウンタ回路の出力カウント値が奇数かつ画面表示される画面表示走査線数を超えるものから前記カウンタ回路が前記垂直表示開始位置発生回路の出力信号が入ってリセットとなるまで前記アスペクト比調整回路の出力信号を全て間引き、前記カウンタ回路の出力カウント値が奇数かつ画面表示される画面表示走査線数を超えないときは前記アスペクト比調整回路の出力信号を間引かずに出力するよう構成した
請求項２記載の画面表示制御装置。
【発明の詳細な説明】
【０００１】
【発明の属する技術分野】
本発明は画面表示における画面表示制御方法および装置に関するものである。
【０００２】
【従来の技術】
飛び越し走査方式で映像を表示する従来の画面表示制御装置は、図４に示すように構成されている。この図４は垂直同期信号と水平同期信号を入力として表示用駆動回路（図示せず）を経て表示部（図示せず）へ伝達される極性反転信号を発生する従来の回路構成を示している。
【０００３】
外部から画面表示走査線数よりも多い水平走査線数をもった映像信号から同期分離された水平同期信号Ａと垂直同期信号Ｂが垂直表示開始位置発生回路４０１に入力される。通常、テレビやビデオの映像信号は垂直同期信号が入力されてから垂直ブランキング期間を経て映像信号が入るため、垂直表示開始位置発生回路４０１は垂直同期信号Ｂの入力をリセットとし、水平同期信号Ａをカウントしたカウント値が所定の回数になると垂直方向における表示開始位置を決定する信号を出力する。
【０００４】
水平表示位置回路４０２は、水平同期信号Ａが入力されてから水平ブランキング期間を経て映像信号が入るため、水平同期信号Ａの入力をリセットとし、外部入力クロックをカウントしたカウント値が所定の回数になると水平方向における表示開始位置を決定する信号を出力する。具体的には、通常、テレビやビデオの映像信号は、垂直同期信号が入力されてから垂直ブランキング期間を経て映像信号が入るため、垂直表示開始位置発生回路４０１の出力信号は垂直同期信号が入力されてから水平同期信号の入力回数が規定回数になると出力するという従来技術が用いられており、ここで規定回数とは、４：３のアスペクト比に対応した画面表示装置に４：３のアスペクト比に対応した映像信号の表示を行う場合には１０〜２０に設定され、４：３のアスペクト比に対応した画面表示装置に１６：９のアスペクト比に対応した映像信号の表示を行う場合には２４０〜２６０の間の例えば２５０程度に設定される。
【０００５】
表示アスペクト比調整回路４０３は、垂直表示開始位置発生回路４０１の出力信号をリセットとし、水平表示開始位置発生回路４０２の出力信号をカウントしたカウント値をもとに必要に応じて（水平表示開始位置発生回路４０２の出力信号が４回入力されたら、水平表示開始位置発生回路４０２を１回間引くなど）映像信号方式や画面表示装置に適合させる信号を出力する。具体的には、４：３のアスペクト比に対応した画面表示装置に１６：９のアスペクト比に対応した映像信号の表示を行う場合には、映像信号の方式がＮＴＳＣ方式やＰＡＬ方式に関係なく、表示アスペクト比調整回路４０３は画面表示される画面表示走査線数に調整するために垂直表示開始位置発生回路４０１の出力信号から水平表示開始位置発生回路４０２を所定期間毎に間引くことによって、本来の表示映像が歪むことなく表示させるという従来技術が用いられている。
【０００６】
極性反転回路４０４は、表示アスペクト比調整回路４０３の出力信号が入力される毎にかつ垂直表示開始位置発生回路４０１の出力信号が入力される毎に映像の極性を反転する信号を出力する。つまり、画面表示される水平走査線（以下「ライン」ともいう）毎にかつ１垂直走査期間（以下「１フィールド」ともいう）毎に映像の極性を反転させる極性反転信号４０５を出力する。
【０００７】
極性反転信号４０５がライン毎に映像の極性を反転し、さらに１フィールド毎にも映像の極性を反転することにより、飛び越し走査方式での映像を画面上に正常に表示させることができる。
【０００８】
図５は表示画面内に映像の表示をしないマスク部を設けた画面表示状態（以下「レターボックス表示」という）とレターボックス表示におけるフィールド毎の波形動作を示したものであり、５０１は画面上部マスク部表示領域、５０２は映像表示領域、５０３は画面下部マスク部表示領域、５０４は画面表示領域、５０５は奇数フィールドでの画面上部マスク部表示領域、５０６は奇数フィールドでの画面表示領域、５０７は奇数フィールドでの画面下部マスク部表示領域、５０８は奇数フィールドでの映像表示領域、５０９は偶数フィールドでの画面上部マスク部表示領域、５１０は偶数フィールドでの画面表示領域、５１１は偶数フィールドでの画面下部マスク部表示領域、５１２は偶数フィールドでの映像表示領域を示し、奇数フィールドでの画面上部マスク部表示領域５０５と偶数フィールドでの画面上部マスク部表示領域５０９が、画面上部マスク部表示領域５０１に対応し、奇数フィールドでの映像表示領域５０８と偶数フィールドでの映像表示領域５１２が、映像表示領域５０２に対応し、奇数フィールドでの画面下部マスク部表示領域５０７と偶数フィールドでの画面下部マスク部表示領域５１１が、画面下部マスク部表示領域５０３に対応していることを示している。
【０００９】
図６の上段は、前記レターボックス表示時の偶数フィールドから奇数フィールドへの切替りの境界部における極性反転信号４０５の動作を示す。図６の下段は、奇数フィールドから偶数フィールドへの切替りの境界部における極性反転信号４０５の動作を示している。
【００１０】
６０１は偶数フィールドにおける表示アスペクト比調整回路４０３の出力信号の最大出力回数、６０２は垂直表示開始位置発生回路４０１の出力信号入力時の奇数フィールドにおける極性反転信号４０５の極性、６０３は奇数フィールドにおける表示アスペクト比調整回路４０３の出力信号の最大出力回数、６０４は垂直表示開始位置発生回路４０１の出力信号入力時の偶数フィールドにおける極性反転信号４０５の極性を示している。
【００１１】
なお、図５と図６における垂直同期信号及び水平同期信号の波形極性は一例を示したものであり、同期分離の行われ方によって逆の波形極性をとる場合も有り得る。また、図６における表示アスペクト比調整回路の出力信号の出力回数は一例を示したものであり、画面表示装置や映像信号の方式によって変わるものである。さらに図５と図６におけるレターボックス表示に必要である画面上部マスク部の走査線数や映像表示部に必要な走査線数は一例を示したものであり、表示方法によって変わるものである。
【００１２】
【発明が解決しようとする課題】
このような従来の画面表示制御装置では、垂直表示開始位置発生回路４０１の出力信号入力時の奇数フィールドにおける極性反転信号４０５の極性６０２が“Ｈ”レベルであるのに対して、垂直表示開始位置発生回路４０１の出力信号入力時の偶数フィールドにおける極性反転信号４０５の極性６０４も“Ｈ”レベルであり、フィールド毎に極性反転信号４０５は反転していない。
【００１３】
これは偶数フィールドにおける表示アスペクト比調整回路４０３の出力信号の最大出力回数６０１が“２０７”と奇数であるのに対し奇数フィールドにおける表示アスペクト比調整回路の出力信号の最大出力回数６０３が“２０６”と偶数であるために、１フィールド毎に極性反転信号４０５は反転しない。
【００１４】
ここで奇数フィールドにおける極性反転信号４０５の極性６０２、または偶数フィールドにおける極性反転信号４０５の極性６０４が示す領域はレターボックス表示における映像表示領域５０２と画面下部マスク部表示領域５０３の境界部に該当する。
【００１５】
このように従来では、レターボックス表示において、奇数フィールドで出力される表示アスペクト比調整回路４０３の出力信号の最大出力回数６０３と偶数フィールドで出力される最大出力回数６０１とが異なるため、垂直表示開始位置発生回路４０１の出力信号入力時の奇数フィールドにおける極性反転信号４０５の極性６０２と偶数フィールドにおけるその極性６０４とは反転せず、レターボックス表示における映像表示領域５０２と画面下部マスク部表示領域５０３の境界線上で白線Ｐが表示されるなどの状態が発生し、画面上に映像が正常に表示されないという課題がある。
【００１６】
本発明は、このような従来の課題を解決するものであり、レターボックス表示において、表示画面下部の映像表示領域と画面下部マスク部表示領域との境界で映像が正常に表示できる画面表示制御方法および装置を提供することを目的とする。
【００１７】
【課題を解決するための手段】
本発明の請求項１記載の画面表示制御方法は、表示画面のアスペクト比とは異なるアスペクト比の映像信号をレターボックス表示を実行するに際し、入力映像信号を画面表示走査線数に調整するために水平表示位置開始発生回路の出力を所定期間毎に間引き、さらにこの間引かれた信号を、水平走査回数が奇数かつ画面表示される画面表示走査線数を超えるものから次の走査期間となるまで全て間引く再処理を実行し、水平走査回数が奇数かつ画面表示される画面表示走査線数を超えないときは間引かずに出力する再処理を実行し、この出力信号毎に映像の極性を反転する極性反転信号を生成するとともに、前記極性反転信号を前記入力映像信号から同期分離された水平同期信号と垂直同期信号とに基づいて垂直表示開始位置を決定する垂直表示開始位置発生回路の出力信号毎にも極性を反転させることを特徴とする。
【００１８】
本発明の請求項２記載の画面表示制御装置は、飛び越し走査方式で映像を表示する画面表示制御装置において、画面表示される画面表示走査線数よりも多い水平走査線数をもった映像信号から同期分離された水平同期信号と垂直同期信号を入力とし、前記垂直同期信号と前記水平同期信号から垂直表示開始位置を決定する垂直表示開始位置発生回路と、前記水平同期信号を入力とし水平表示開始位置を決定する水平表示開始位置発生回路と、前記垂直表示開始位置発生回路の出力信号から所定期間毎に前記水平表示開始位置発生回路の出力信号を間引く表示アスペクト比調整回路と、前記垂直表示開始位置発生回路の出力信号をリセットとし前記表示アスペクト比調整回路の出力信号をカウントするカウンタ回路と、前記カウンタ回路の出力カウント値が所定の値になると前記表示アスペクト比調整回路の出力信号を間引く表示ライン決定回路と、前記表示ライン決定回路の出力信号毎に映像の極性を反転し前記垂直表示開始位置発生回路の出力信号毎にも映像の極性を反転する信号を出力する極性反転回路とを設け、表示アスペクト比に合わせて映像信号の極性及び映像表示を制御することを特徴とする。
【００１９】
本発明の請求項３記載の画面表示制御装置は、請求項２において、前記表示ライン決定回路を、前記表示アスペクト比調整回路の出力信号と前記カウンタ回路の出力カウンタ値を入力とし、前記カウンタ回路の出力カウント値が奇数かつ画面表示される画面表示走査線数を超えるものから前記カウンタ回路が前記垂直表示開始位置発生回路の出力信号が入ってリセットとなるまで前記アスペクト比調整回路の出力信号を全て間引き、前記カウンタ回路の出力カウント値が奇数かつ画面表示される画面表示走査線数を超えないときは前記アスペクト比調整回路の出力信号を間引かずに出力するよう構成したことを特徴とする。
【００２０】
【発明の実施の形態】
以下、本発明の画面表示制御方法を具体的な実施の形態に基づいて説明する。図１は本発明の画面表示制御方法に基づいた画面表示制御装置を示し、カウンタ回路１０５と表示ライン決定回路１０６とが図４に示した従来例に追加されている点が異なっている。
【００２１】
図１において、１０１は垂直表示開始位置発生回路、１０２は水平表示開始位置発生回路、１０３は表示アスペクト比調整回路、１０４は極性反転回路であって、それぞれ図４に示した４０１，４０２，４０３，４０４と同一のものである。
【００２２】
垂直表示開始位置発生回路１０１は、水平同期信号Ａと垂直同期信号Ｂを入力する。水平表示開始位置発生回路１０２は、前記水平同期信号Ａと外部入力クロックを入力する。表示アスペクト比調整回路１０３は、垂直表示開始位置発生回路１０１の出力信号と水平表示開始位置発生回路１０２の出力信号を入力する。
【００２３】
カウンタ回路１０５は垂直表示開始位置発生回路１０１の出力信号と表示アスペクト比調整回路１０３の出力信号を入力とする。表示ライン決定回路１０６はカウンタ回路１０５の出力カウント値と表示アスペクト比調整回路１０３の出力信号を入力する。
【００２４】
垂直表示開始位置発生回路１０１の出力信号と表示ライン決定回路１０６の出力信号は極性反転回路１０４に入力され、この極性反転回路１０４の出力には表示用駆動回路（図示せず）を経て表示部（図示せず）へ伝達される極性反転信号１０７が発生する。
【００２５】
各部の構成をさらに詳しく説明する。
垂直表示開始位置発生回路１０１は、垂直同期信号Ｂをリセットとし、水平同期信号Ｂをカウントしたカウント値が所定の回数になると垂直方向における表示開始位置を決定する信号を出力する。垂直表示開始位置発生回路１０１の出力信号は画面表示の際に垂直方向の表示開始位置を決定する信号で、１フィールド毎に１回出力する。
【００２６】
水平表示開始位置発生回路１０２は、水平同期信号Ａをリセットとし、外部入力クロックをカウントした値が所定の回数になると水平方向における表示開始位置を決定する信号を出力する。
【００２７】
表示アスペクト比調整回路１０３は、垂直表示開始位置発生回路１０１の出力信号をリセットとし、水平表示開始位置発生回路１０２の出力信号をカウントしたカウント値をもとに必要に応じて（４回水平表示開始位置発生回路１０２の出力信号が入力されたら、１回水平表示開始位置発生回路１０２を間引くなど）映像信号方式や画面表示装置に適合させる信号を出力する。
【００２８】
カウンタ回路１０５は、垂直表示開始位置発生回路１０１の出力信号をリセットとし、前記表示アスペクト比調整回路１０３の出力信号の入力回数をカウントする。表示ライン決定回路１０６はカウンタ回路１０５の出力カウント値と表示アスペクト比調整回路１０３の出力信号を入力とし、カウンタ回路１０５の出力カウント値が奇数かつ画面表示される画面表示走査線数以上でカウンタ回路１０５の出力カウント値がリセットになるまで表示アスペクト比調整回路１０３の出力信号を間引いた信号を出力し、カウンタ回路１０５の出力カウント値が奇数かつ画面表示される画面表示走査線数以上でないときは表示アスペクト比調整回路１０３の出力信号を間引かずに出力する。
【００２９】
この表示ライン決定回路１０６の出力信号は、水平方向に画面表示開始位置を決定する信号であり、１水平期間内に出力されない時、つまり、間引かれた水平期間は映像が画面表示されず、間引かれず出力された水平期間は映像が画面に表示される。
【００３０】
極性反転回路１０４は、表示ライン決定回路１０６の出力信号が入力される毎に、かつ前記垂直表示開始位置発生回路１０１の出力信号が入力される毎に反転する信号を極性反転信号１０７として出力する。
【００３１】
図２は表示画面内に映像の表示をしないマスク部を設けたレターボックス表示とレターボックス表示におけるフィールド毎の波形動作を示したものである。
２０１は画面上部マスク部表示領域、２０２は映像表示領域、２０３は画面下部マスク部表示領域、２０４は画面表示領域、２０５は奇数フィールドでの画面上部マスク部表示領域、２０６は奇数フィールドでの画面表示領域、２０７は奇数フィールドでの画面下部マスク部表示領域、２０８は奇数フィールドでの映像表示領域、２０９は偶数フィールドでの画面上部マスク部表示領域、２１０は偶数フィールドでの画面表示領域、２１１は偶数フィールドでの画面下部マスク部表示領域、２１２は偶数フィールドでの映像表示領域を示す。
【００３２】
奇数フィールドでの画面上部マスク部表示領域２０５と偶数フィールドでの画面上部マスク部表示領域２０９が、画面上部マスク部表示領域２０１に対応し、奇数フィールドでの映像表示領域２０８と偶数フィールドでの映像表示領域２１２が、映像表示領域２０２に対応し、奇数フィールドでの画面下部マスク部表示領域２０７と偶数フィールドでの画面下部マスク部表示領域２１１が、画面下部マスク部表示領域２０３に対応していることを示している。
【００３３】
図３の上段は、前記レターボックス表示時の偶数フィールドから奇数フィールドへの切替りの境界部における磁性反転信号１０７の動作を示す。図３の下段は、奇数フィールドから偶数フィールドへの切替りの境界部における極性反転信号１０７の動作を示している。
【００３４】
３０１はカウンタ回路１０５の出力カウント値、３０２は表示ライン決定回路１０６の出力信号、３０４は表示ライン決定回路１０６の出力信号３０２の出力回数、３０５は偶数フィールドにおける表示ライン決定回路１０６の出力信号の最大出力回数、３０６は奇数フィールドでの前記極性反転信号１０７の極性、３０７は奇数フィールドにおける表示ライン決定回路１０６の出力信号の最大出力回数、３０８は偶数フィールドでの前記極性反転信号１０７の極性をそれぞれ示している。
【００３５】
レターボックス表示状態において、偶数フィールドにおけるカウンタ回路１０５の出力値３０１の最大値は“２０７”で奇数であるのに対し、奇数フィールドにおける前記カウンタ回路１０５の出力値３０１の最大値は“２０６”で偶数であり、１フィールド毎に前記カウンタ回路１０５の出力値３０１の最大値は異なる。
【００３６】
しかし、レターボックス表示に必要な映像表示領域２０２に必要な走査線数を“１６７”、画面上部マスク部表示領域２０１に必要な走査線数を“３８”であるとすると、カウンタ回路１０５の最大出力値は“２０５”となる。このことにより、最終的に出力する前記表示ライン決定回路１０６の出力信号３０４の最大出力回数は１フィールド毎に“２０５”であればよい。ここで表示ライン決定回路１０６にて前記カウンタ回路１０５の出力値３０１がフィールドに限らず“２０５”以上の時は表示アスペクト比調整回路１０３の出力信号３０３を間引くことにより、奇数フィールドでの極性反転信号１０７の極性３０６は“Ｈ”レベルであるのに対して偶数フィールドでの前記極性反転信号１０７の極性３０８は“Ｌ”レベルとなり、極性反転信号１０７は１フィールド毎に反転する。
【００３７】
図３に示したように表示ライン決定回路１０６でカウンタ回路１０５の出力カウント値をもとに表示アスペクト比調整回路１０３の出力信号を奇数かつ画面表示に必要な数以上のときは間引くことで、極性反転信号１０７は１フィールド毎に反転し、映像表示領域２０２と画面下部マスク部表示領域２０３の境界で白線等の表示をさせることなく映像を正常に表示できる。
【００３８】
なお、図２と図３における垂直同期信号及び水平同期信号の波形極性は一例を示したものであり、同期分離の行われ方によって逆の波形極性をとる場合も有り得る。また、図３における表示ライン決定回路の出力信号の出力回数やカウンタ回路の出力値は一例を示したものであり、画面表示装置や映像信号の方式によって変わるものである。さらに図２と図３におけるレターボックス表示に必要である画面上部マスク部の走査線数や映像表示部に必要な走査線数は一例を示したものであり、表示方法によって変わるものである。
【００３９】
なお、本発明の画面表示制御方法は、液晶ディスプレイやブラウン管などで飛び越し走査方式で映像を表示する画面表示制御装置において適用して効果的である。
【００４０】
【発明の効果】
以上のように本発明の画面表示制御方法によると、表示画面のアスペクト比とは異なるアスペクト比の映像信号をレターボックス表示を実行するに際し、入力映像信号を画面表示走査線数に調整するために水平表示位置開始発生回路の出力を所定期間毎に間引き、さらにこの間引かれた信号を、水平走査回数が奇数かつ画面表示される画面表示走査線数を超えるものから次の走査期間となるまで全て間引く再処理を実行し、水平走査回数が奇数かつ画面表示される画面表示走査線数を超えないときは間引かずに出力する再処理を実行し、この出力信号毎に映像の極性を反転する極性反転信号を生成するとともに、前記極性反転信号を前記入力映像信号から同期分離された水平同期信号と垂直同期信号とに基づいて垂直表示開始位置を決定する垂直表示開始位置発生回路の出力信号毎にも極性を反転させるので、表示画面下部の映像表示領域と下部マスク部表示領域との境界で映像を正常に表示できる。
【００４１】
また、本発明の画面表示制御装置によると、表示アスペクト比調整回路の出力信号をカウントするカウンタ回路を用いて表示アスペクト比調整回路の出力信号が奇数かつ画面表示に必要な数以上は表示ライン決定回路にて間引くことで、本発明の画面表示制御方法を実現して、極性反転信号をフィールド毎に反転させ、表示画面上に白線などの表示をさせることなく映像を正常に表示できる優れた画面表示を実現できる。
【図面の簡単な説明】
【図１】本発明の実施の形態における画面表示制御装置の構成図
【図２】同実施の形態のレターボックス表示とその場合のフィールド毎の波形図
【図３】レターボックス表示における本実施の形態での動作波形図
【図４】従来の画面表示制御装置の構成図
【図５】同従来例のレターボックス表示とその場合のフィールド毎の波形図
【図６】同従来例のレターボックス表示における本実施の形態での動作波形図
【符号の説明】
１０１  垂直表示開始位置発生回路
１０２  水平表示開始位置発生回路
１０３  表示アスペクト比調整回路
１０４  極性反転回路
１０５  カウンタ回路
１０６  表示ライン決定回路
１０７  極性反転信号
２０１  画面上部マスク部表示領域
２０２  映像表示領域
２０３  画面下部マスク部表示領域
２０４  画面表示領域
２０５  奇数フィールドでの画面上部マスク部表示領域
２０６  奇数フィールドでの画面表示領域
２０７  奇数フィールドでの画面下部マスク部表示領域
２０８  奇数フィールドでの映像表示領域
２０９  偶数フィールドでの画面上部マスク部表示領域
２１０  偶数フィールドでの画面表示領域
２１１  偶数フィールドでのマスク部表示領域
２１２  偶数フィールドでの映像表示領域
３０１  カウンタ回路１０５の出力値
３０２  表示ライン決定回路１０６の出力信号
３０４  表示ライン決定回路１０６の出力信号３０２の出力回数
３０５  偶数フィールドにおける表示ライン決定回路１０６の出力信号の最大出力回数
３０６  奇数フィールドでの極性反転信号１０７の極性
３０７  奇数フィールドにおける表示ライン決定回路１０６の出力信号の最大出力回数
３０８  偶数フィールドでの極性反転信号１０７の極性
【図１】
0003710358.tif 000002
【図２】
0003710358.tif 000003
【図３】
0003710358.tif 000004
【図４】
0003710358.tif 000005
【図５】
0003710358.tif 000006
【図６】
0003710358.tif 000007